(57)【要約】【課題】使用者に過大な努力や鍛錬等の負担を強いることなく、比較的安楽な状態で使用でき、且つ十分な筋力確保や、その回復効果が得られる足腰系部位の整姿支援器材の開発を技術課題とした。【解決手段】ハ字状に開いた一対の脚開誘導部２を具え、この脚開誘導部２は互いに弾性的に窄まり自在に構成されていることを特徴として成り、例えば使用者が仰臥した姿勢で脚開誘導部２を大腿部Ｍ１内側に当てがうことにより、自然に両脚が開脚状態となり、その姿勢自体でまず股関節から腰部にかけての筋肉の保全や骨格斉整作用がなされる。【選択図】図１
2018161170.tif 000002
【特許請求の範囲】
【請求項１】
ハ字状に開いた一対の脚開誘導部を具え、この脚開誘導部は互いに弾性的に窄まり自在に構成されていることを特徴とする足腰系部位の整姿支援器材。
【請求項２】
前記脚開誘導部を互いに弾性的に窄まり自在にする部材は、その間に設けられる弾性反撥部材であることを特徴とする請求項１記載の足腰系部位の整姿支援器材。
【請求項３】
前記脚開誘導部は、脚開誘導時において、保形状態を維持するものであることを特徴とする請求項１または２いずれか記載の足腰系部位の整姿支援器材。
【請求項４】
前記脚開誘導部は、平帯状の低反撥発泡樹脂と高反撥発泡樹脂との積層構造を具えていることを特徴とする請求項１、２または３いずれか記載の足腰系部位の整姿支援器材。
【請求項５】
前記弾性反撥部材は、発泡弾性ブロックの集合体であることを特徴とする請求項１、２、３または４いずれか記載の足腰系部位の整姿支援器材。
【請求項６】
弾性反撥部材による脚開誘導部の下開き状態は、変更自在に構成されていることを特徴とする請求項１、２、３、４または５いずれか記載の足腰系部位の整姿支援器材。
【発明の詳細な説明】
【技術分野】
【０００１】
本発明は足腰部またはこれに連係している筋肉等の筋力回復やストレッチを図り、結果的に骨格の正常化や腰痛等の症状を解消するための足腰系部位の整姿支援器材に関するものである。
【背景技術】
【０００２】
一般に腰痛と呼ばれる身体症状は、骨格の不整状態や、足腰部、背部の筋肉や、これに関連するインナーマッスル等の筋力の低下が主たる原因となっている。このうち足腰部やこれに連係している筋肉の筋力不全に因む腰痛回復の対策としては、これらの筋力の増強やストレッチのためのトレーニングや、マッサージ等の筋肉ケアが知られている。このため種々のトレーニング機器が提案されているが、それらトレーニング機器の多くは、使用者本人にかなりの努力を強いてはじめて効果が得られる傾向にある（例えば特許文献１参照）。結果的に効果が得られる前にトレーニングそのものを放棄してしまうケースが多くみられる。特に高齢者にとっては、過度のトレーニングやリハビリテーションはかえって全身疲労につながり好ましくない。
【先行技術文献】
【特許文献】
【０００３】
【特許文献１】特開２００３−１２６２９５号公報
【発明の概要】
【発明が解決しようとする課題】
【０００４】
本発明はこのような背景を考慮してなされたものであって、使用者に過大な努力や鍛錬等の負担を強いることなく、比較的安楽な状態で使用でき、且つ十分な筋力確保や、その回復効果が得られる足腰系部位の整姿支援器材を開発することを技術課題としたものである。
【課題を解決するための手段】
【０００５】
すなわち請求項１記載の足腰系部位の整姿支援器材は、ハ字状に開いた一対の脚開誘導部を具え、この脚開誘導部は互いに弾性的に窄まり自在に構成されていることを特徴として成るものである。
【０００６】
また請求項２記載の足腰系部位の整姿支援器材は、前記要件に加え、前記脚開誘導部を互いに弾性的に窄まり自在にする部材は、その間に設けられる弾性反撥部材であることを特徴として成るものである。
【０００７】
更にまた請求項３記載の足腰系部位の整姿支援器材は、前記要件に加え、前記脚開誘導部は、脚開誘導時において、保形状態を維持するものであることを特徴として成るものである。
【０００８】
更にまた請求項４記載の足腰系部位の整姿支援器材は、前記要件に加え、前記脚開誘導部は、平帯状の低反撥発泡樹脂と高反撥発泡樹脂との積層構造を具えていることを特徴として成るものである。
【０００９】
更にまた請求項５記載の足腰系部位の整姿支援器材は、前記要件に加え、前記脚開誘導部の下開き部を弾性的に窄まり自在とする弾性反撥部材は、発泡弾性ブロックの集合体であることを特徴として成るものである。
【００１０】
更にまた請求項６記載の足腰系部位の整姿支援器材は、前記要件に加え、弾性反撥部材による脚開誘導部の下開き状態は、変更自在に構成されていることを特徴として成るものである。
そしてこれら各請求項記載の発明の構成を手段として前記課題の解決が図られる。
【発明の効果】
【００１１】
まず請求項１記載の発明によれば、例えば使用者が仰臥した姿勢で脚開誘導部を大腿部内側に当てがうことにより、自然に両脚が開脚状態となり、その姿勢自体でまず股関節から腰部にかけての筋肉の保全や骨格斉整作用がなされる。またこの姿勢のまま、単に上半身を捻るだけでも同様の効果が得られる。更に脚開誘導部を、外側に付勢されている弾性に抗してこれを窄めるような運動をすれば、関連する筋肉の強化が有効に図られる。結果的に腰痛等の回復効果が得られるものである。
【００１２】
また請求項２記載の発明によれば、脚開誘導部の弾性的な窄まり状態を弾性反撥部材により効果的に現出させることができる。
【００１３】
また請求項３記載の発明によれば、脚開誘導部は、一定のコシを持った保形性を有するものであるから、大腿部の内側を効果的に開くように案内し、その運動効果を更に高めるものである。
【００１４】
また請求項４記載の発明によれば、脚開誘導部は、平帯状の低反撥発泡樹脂と高反撥発泡樹脂との積層構造を具えているため、所望の保形性を発揮するとともに大腿部に当てがった際の接触感が良く、且つ内股のストレッチ効果も有効に成される。
【００１５】
また請求項５記載の発明によれば、脚開誘導部の弾発効果が、適切なものが得られる。
【００１６】
また請求項６記載の発明によれば、弾性反撥部材により、脚開誘導部の下開き状態は、その角度やその硬さが変更自在であり、利用者の体形、年齢、筋力差等の個人差に合わせたセッティングができるものである。
【図面の簡単な説明】
【００１７】
【図１】本発明の足腰系部位の整姿支援器材の一部破断斜視図及び使用状態の一例を示す斜視図である。
【図２】本発明の足腰系部位の整姿支援器材の構成要素を分解して示す斜視図である。
【図３】本発明の足腰系部位の整姿支援器材の種々の寸法、仕様を示した斜視図である。
【図４】本発明の足腰系部位の整姿支援器材の種々の使用状態を示す立面図である。
【図５】本発明の足腰系部位の整姿支援器材の更に他の使用状態を示す平面図である。
【図６】本発明における弾性反撥部材を複数群分断形成し、脚開誘導部の下開き状態を種々設定できるようにした実施例を示す平面図である。
【図７】本発明における弾性反撥部材の種々の形態を示す平面図である。
【図８】本発明の脚開誘導部の構成に関する他の形態を示す斜視図である。
【発明を実施するための形態】
【００１８】
本発明を実施するための最良の形態は、図示の実施例に示すとおりであり、更にこの実施例に対して、本発明の技術的思想の範囲内において適宜変更を加えることも可能である。
【実施例】
【００１９】
図中符号１で示すものが本発明の足腰系部位の整姿支援器材（以下、整姿支援器材１と称する。）であって、このものは平面視、台形乃至は三角形状とした一体の部材である。この整姿支援器材１は、脚開誘導部２と、この脚開誘導部２を外側に向けて付勢し、且つ互いにこれらが弾性的に内窄まるようにするための弾性反撥部材３と、これら全体を覆う表覆シート４と、使用時に手掛かりとなる保持グリップ５とを具え、これらを主要部材とする。
以下、これら部材について具体的に説明する。
【００２０】
まず脚開誘導部２について説明する。このものは図１、図２に示すように、十分な保形性いわゆるコシを有する、一例としていわば柱状の部材を一対組み合わせて構成されるものであり、これら一対の脚開誘導部２は平面視でハ字状に配置される。なおハ字状配置の頂部側を以下、上方とし、その対辺側を下方として説明する。それぞれの脚開誘導部２の構成は、平帯状乃至は平板状の高反撥発泡樹脂等を適用した硬質要素板２１と、低反撥発泡樹脂等を適用した軟質要素板２２とを積層させて構成したものである。
なお脚開誘導部２自体は、その上方を例えば帯状布シート等で接続させてもよいし、完全に分断した状態で独立した状態に構成してもよい。
【００２１】
次に弾性反撥部材３について説明する。このものは図１、図２に示すように適宜の弾性を有するスポンジ状ブロック３１を多数用いて、このものを例えば脚開誘導部２の内側形状に馴染んだ平面視三角形状の一定厚み寸法を有する形状とするものであり、この形状は包覆袋３２によってスポンジ状ブロック３１をまとめて保形状態を得ている。
各々のスポンジ状ブロック３１は、適宜の寸法の矩形状、球状あるいは不定形状のものが適用できるものであり、その大きさは例えばこぶし大あるいは卵大程度の寸法のものである。もちろん一体的な大きなスポンジブロック等であってももとより差し支えない。
【００２２】
これら脚開誘導部２と、弾性反撥部材３は一定の厚み寸法を有する平面視略台形状の袋状の表覆シート４内に収められ、一定の保形性を具えた整姿支援器材１を構成する。表覆シート４自体はこのように、脚開誘導部２と弾性反撥部材３を収めるものであり、袋状に形成されたシート本体４１の一部、多くは脚開誘導部２の下拡がり状部位即ち下方側の辺側にファスナー４２を設けて、これらを収めたり、あるいは取り出したりすることができるように構成している。
【００２３】
次に保持グリップ５について説明すると、このものは整姿支援器材１の上端にグリップバンド５１を設けて、その一部に太径の握りチューブ５２を外装したものであり、このグリップバンド５１自体を保持ベルト５３に保持させる。保持ベルト５３は、十分な強度を有する幅広の帯状部材であって、整姿支援器材１の下辺と上端との間を囲み込むようにして配置されている。
【００２４】
本発明の整姿支援器材１の基本構成は以上述べたような構成を有するものであるが、この整姿支援器材１が個々異なる体形や身体状況を有する利用者Ｍが使用することを考慮すると、寸法、仕様等を異ならせたものを用意することが好ましい。図３にその具体例を示す。
まず寸法の表示は、Ｗ１を上辺幅寸法、Ｗ２を下辺幅寸法、Ｗ３を中間幅寸法、Ｈを上下高さ寸法、Ｄを厚さ寸法とする。そして各部位における反撥数値は、Ｆ１は頂部、Ｆ２は中間部、Ｆ３は下部の数値であり、それぞれ、矢印方向に始発形状から２５％圧縮撓みを生じさせ且つ一定時間、例えば２０分放置したときの荷重を示す。
【００２５】
まず図３（ａ）に示すタイプＩの整姿支援器材１は、寸法仕様においてＷ１；２８０ｍｍ、Ｗ２；８００ｍｍ、Ｈ；６００ｍｍ、Ｄ；２８０ｍｍのものである。なお後述するタイプII、III についても、上下高さ寸法Ｈは全て６００ｍｍである。
そしてタイプＩの反撥強さを示す数値は、Ｆ１；１４７Ｎ（１５ｋｇ）、Ｆ２；１１３Ｎ（１１．５ｋｇ）、Ｆ３；７５Ｎ（７．６ｋｇ）となっている。なおこのタイプＩは、一般的には日本人の体格を考慮した標準タイプとも云えるものである。
【００２６】
また図３（ｂ）に示すタイプIIの整姿支援器材１は、標準タイプ的なタイプＩに比べてややソフトタイプとでも言うべきものであって、形状寸法はＷ１；２４０ｍｍ、Ｗ２；７５０ｍｍ、Ｄ；２４０ｍｍとやや小ぶりの形状を具える。そして反撥数値も、Ｆ１；１３７Ｎ（１４ｋｇ）、Ｆ２；１０１Ｎ（１０．３ｋｇ）、Ｆ３；６１Ｎ（６．３ｋｇ）となっており、いわば標準タイプ的なタイプＩに比べて幾分が低荷重設定である。
【００２７】
更にまた図３（ｃ）に示すタイプIIIの整姿支援器材１は、高負荷タイプとでも言うべき形状であり、特徴としてはＷ２が９５０ｍｍとなっており、脚開案内の角度が大きく設定されている。
反撥強さの数値で見ても、Ｆ１；２２５Ｎ（２３ｋｇ）、Ｆ２；１６０Ｎ（１６．３ｋｇ）、Ｆ３；９０Ｎ（９．２ｋｇ）と前２タイプと比べて大きな値となっている。
このような実施例から図３（ｄ）に示すように本発明では脚開案内角度αを３０°〜７０°の範囲、Ｆ１を１２０Ｎ〜２３０Ｎ、Ｆ２を９０Ｎ〜１７０Ｎ、Ｆ３を５０Ｎ〜１００Ｎの範囲で適宜選択することができる。
【００２８】
本発明の整姿支援器材１は以上述べたような構成を有するものであり、次のように用いられる。
まず一般的な利用法としては、図１に示すように、利用者Ｍは畳、ベッド等に仰臥した状態で、整姿支援器材１の下辺側を足先側とするようにして、大腿部Ｍ１の間に挟み込むようにする。
そして利用者Ｍは、整姿支援器材１が大腿部Ｍ１を十分に押し拡げる状態を確保できるように、保持グリップ５を利用して上方にこれを引き寄せるようにしておく。
このような状態とするときには、利用者Ｍの大腿部Ｍ１が十分に開き、且つ両脚がまっすぐに伸びたような状態が得られる。極端に言えば、このままこの姿勢をとるだけで、利用者Ｍの状況によっては、格別運動等を行わなくとも十分な脚部等のストレッチ効果や整姿効果が得られる場合もある。
【００２９】
更に大腿部Ｍ１等を含んだ脚部、インナーマッスル等の筋肉強化を図る場合には、積極的に大腿部Ｍ１を窄めるような運動をする。この運動により、弾性反撥部材３に抗して脚開誘導部２を内窄まり状態に変形させるものであり、その反撥抵抗により、十分な筋力のトレーニング効果及びその動きに伴う腰椎、脊椎あるいは股関節等の関連する骨格部位の斉整が図られる。
なおこのような積極的な運動に変えて、整姿支援器材１を大腿部に挟んだ姿勢のままベッドや床の上で上半身を捻るだけでも、足腰部に関連する部位の筋肉のストレッチや増強が図られ、加えて骨格斉整乃至は整姿が図られる。このような利用手法は、利用者Ｍにとって格別の筋力トレーニングを要求するものではなく、容易に足腰部の整姿効果が得られる。なおこのような利用に当たっては、図１に示すようにベッド等の上で仰臥状態で行うほか、図４（ａ）に示すように立った姿勢で行っても充分な効果を発揮する。
【００３０】
更に高齢者等、脚部をはじめ身体全体の筋力が劣えている利用者Ｍには、図５に示すような補助当て片６を用いる利用法も有効であることが確認されている。まず補助当て片６について述べると、このものは図５（ｂ）に示すように、脚部に直接当てがわれる枕状のクッション材６１の外側に補強板６２を配した構成を採る。クッション材６１はその保護のため、補助当片袋６３内に収納され、その出入れのため補助当片袋６３には補助当片袋ファスナー６３ａを具える。このような補助当て片６を用いる場合には、更に締付ベルト６５を使用するものであって、例えば高齢の利用者Ｍは、図５（ａ）に示すように仰臥姿勢で整姿支援器材１を両脚部の間に挟んで、更に両脚部の外側に補助当て片６を当てがい、補助者等の支援を受けて、締付ベルト６５を両側の補助当て片６を囲むように巻き、幾分か両足を窄ませるように軽く締め付けるようにする。この状態で利用者Ｍは、自らは身体の全体や一部に亘って運動をする必要はない。しかしながら更に効果を得るためには、併せ深呼吸を行うことが好ましい。なお両脚部を窄ませるために締付ベルト６５を用いずに、図示は省略するが補助当て片６から操作ロッドを伸ばすように設け、これを補助者が操作して両脚を窄ませるように運動させることもできる。更には、補助当て片６を用いずに、単に補助者が利用者Ｍの両脚を窄めるように押すだけでもよい。このような手法でも充分有効な効果が得られることが確認されている。
【００３１】
以上述べた利用法は、整姿支援器材１を両脚間に挟んで用いるものであるが、他の利用形態としては、例えば図４（ｂ）に示すように、利用者Ｍの大腿部Ｍ１の外側に整姿支援器材１を上下逆に配置して、一方を壁等に当てて安定した状態に位置させ、この状態で一方の大腿部Ｍ１を屈脚させて整姿支援器材１にもたれかけるようにし、他の脚は伸ばして拡げるような運動をする。これによっても足腰部系の部位の筋力強化あるいは骨格部位の整姿効果が得られる。
また同様の使用形態としては、図４（ｃ）に示すように、両脚をほぼ同角度拡開させ、整姿支援器材１にもたれかかるように利用者Ｍがやや身体を押し付けるような用い方をすることもできる。更には利用者Ｍ自身で他の利用手法を採ることができる。
【００３２】
〔他の実施例〕
本発明の整姿支援器材１の基本的な形態は以上述べたような形態であり、更に次のような変形態様が採り得る。
先に述べた弾性反撥部材３は、いわばスポンジ状の弾性体をいくつか集合させて脚開誘導部２の内側に配置したものであるが、このものを単独で配置するだけでなく、例えば図６（ａ）に示すように、中心部にエアバッグ状の弾性反撥部材３Ａを適用し、この弾性反撥部材３Ａの空気の充填状態を加減して、その弾性状態を調整し、脚開誘導部２の下開き状態を変更するものである。因みにここで言う下開き状態とは、脚開誘導部２の開き角度あるいは反撥強度等の性状を言う。
なおこのような調整を考慮すると、例えば図６（ｂ）〜（ｄ）に示すように、弾性反撥部材３を例えば平面視三角形状乃至楔形状のものを幾つか用意しておき、これを複数組み合わせることにより、同様の調整を行うことができるようにしてもよい。
更にまた弾性反撥部材３は、このようなスポンジ状部材等に限らず、金属スプリング等を用いて例えば図７（ａ）〜（ｃ）に示すように、ねじりコイルスプリング状（ａ）や、コイルスプリング状（ｂ）の弾性反撥部材３としてもよいし、あるいはアーチ状の板スプリング（ｃ）等を適用することができる。
【００３３】
更に脚開誘導部２に関連する他の実施形態としては、図８に示すような全体的な変形例を採ることができる。即ち図８（ａ）は整姿支援器材１全体をエアバッグ状に構成したものである。但し図示の通り、平面視台形の全体形状を維持できるよう、脚開誘導部２の部位は一定のコシを確保した状態であることが好ましい。
また図８（ｂ）に示すものは、整姿支援器材１の正面部材１Ａ、背面部材１Ｂ、底面部材１Ｃを充分剛性の高い合板、木質板材、樹脂ボード等で構成し、一方、脚開誘導部２と上部部材２Ａとを弾力性のあるゴム板やゴムメッシュ等で構成するものである。これによっても脚開誘導部２は弾性的に窄まり自在に構成される。
また図示を省略するが、適切な材料を選択することにより、いわゆるムクの弾性材料、例えばムクの発泡樹脂で一体の整姿支援器材１を構成することもできる。
【符号の説明】
【００３４】
１      足腰系部位の整姿支援器材（整姿支援器材）
１Ａ    正面部材
１Ｂ    背面部材
１Ｃ    底面部材
２      脚開誘導部
２Ａ    上部部材
２１    硬質要素板
２２    軟質要素板
３      弾性反撥部材
３Ａ    弾性反撥部材
３１    スポンジ状ブロック
３２    包覆袋
４      表覆シート
４１    シート本体
４２    ファスナー
５      保持グリップ
５１    グリップバンド
５２    握りチューブ
５３    保持ベルト
６      補助当て片
６１    クッション材
６２    補強板
６３    補助当片袋
６３ａ  補助当片袋ファスナー
６５    締付ベルト
Ｍ      利用者
Ｍ１    大腿部
【図１】
2018161170.tif 000003
【図２】
2018161170.tif 000004
【図３】
2018161170.tif 000005
【図４】
2018161170.tif 000006
【図５】
2018161170.tif 000007
【図６】
2018161170.tif 000008
【図７】
2018161170.tif 000009
【図８】
2018161170.tif 000010